(57)【要約】【課題】本発明は、安全支柱用の型枠取付け金具に関し、従来の安全支柱用の固定手段に適当なものが無く、柱鉄筋に親綱を取付けることによる高所作業の危険性があるのが課題であって、それを解決することである。【解決手段】コンクリート用型枠に支柱を着脱自在に取付け位置固定するための金具であって、前記型枠の横端太材３に対して上下方向から挟み込んで固定される下部固定部５と、該下部固定部に取着される筒状体で前記支柱の下部と嵌合して該支柱を支持する下部支持部材６と、前記型枠のパネル天端にある桟木に着脱自在に取付けられるとともに前記支柱を支持する上部押え金物７とでなる安全支柱用の型枠取付け金具１とするものである。【選択図】図１
2014043678.tif 000002
【特許請求の範囲】
【請求項１】
コンクリート用型枠に支柱を着脱自在に取付け位置固定するための金具であって、
前記型枠の横端太材に対して上下方向から挟み込んで固定される下部固定部と、
該下部固定部に取着される筒状体で前記支柱の下部と嵌合して該支柱を支持する下部支持部材と、
前記型枠のパネル天端にある桟木に着脱自在に取付けられるとともに前記支柱を支持する上部押え金物とでなること、
を特徴とする安全支柱用の型枠取付け金具。
【請求項２】
下部固定部には、横端太材の上下方向の寸法に合わせて、前記下部固定部を構成する上あご部と下あご部とのうちいずれか一方が、当該下部固定部の基部に対して上下方向に移動自在にする移動手段が設けられていること、
を特徴とする請求項１に記載の安全支柱用の型枠取付け金具。
【請求項３】
移動手段は、下あご部を摺動移動させるものであり、ネジボルトにより下部固定部の基部に設けたネジ孔に螺進させてボルト頭部によって前記下あご部に係合してこれを上摺動移動させること、
を特徴とする請求項２に記載の安全支柱用の型枠取付け金具。
【請求項４】
下部固定部には、上あご部と下あご部とのうち少なくとも一方に、あご部のＵ字部に拡張力に抵抗する補強部材が固着されていること、
を特徴とする請求項２または３に記載の安全支柱用の型枠取付け金具。
【請求項５】
下部固定部における下部支持部材には、支柱のロック部を係合させる係合溝が設けられていること、
を特徴とする請求項１乃至４のいずれか１項に記載の安全支柱用の型枠取付け金具。
【請求項６】
下部固定部における下部支持部材は、前記下部固定部に対して、固定手段で固着され、若しくは、その筒体下部において揺動自在に取付けされて、取着されていること、
を特徴とする請求項１乃至５のいずれか１項に記載の安全支柱用の型枠取付け金具。
【請求項７】
一端部を上部押え金物若しくは支柱に連結し、他端部を横端太材に支持させる補強用斜材が設けられること、
を特徴とする請求項１乃至６のいずれか１項に記載の安全支柱用の型枠取付け金具。
【請求項８】
支柱に親綱を係止する場合、該支柱の上部に、単クランプに掛金が固着されてなるフック用金物が着脱自在に取着されること、
を特徴とする請求項１乃至７のいずれか１項に記載の安全支柱用の型枠取付け金具。
【発明の詳細な説明】
【技術分野】
【０００１】
本発明は、建築物のコンクリート打設用の型枠に固定されて、親綱支柱若しくは安全柵用手摺支柱などの支柱支持に使用される安全支柱用の型枠取付け金具に関するものである。
【背景技術】
【０００２】
従来、鉄筋コンクリート（ＲＣ）造の躯体工事において、梁型枠上の親綱設置は、例えば大梁では柱鉄筋等を利用して親綱を取付けて、作業員の墜落防止を図っている。また、小梁においては、大梁に張った親綱に対して小梁用の親綱を取付けている。一方、工区境のスラブ上の落下防止には、柱筋に親綱を取付けたり、安全柵等を設置して区切っている。型枠用の安全支柱としては参考文献１に記載されるものが知られており、安全用の手摺等（バルコニー用）は参考文献２に記載のものが知られている。
【先行技術文献】
【特許文献】
【０００３】
【特許文献１】特開２００３−４９５４２号公報
【特許文献２】特開２００６−２００１６３号公報
【発明の概要】
【発明が解決しようとする課題】
【０００４】
しかし、従来の親綱を架設する方法では、例えば、大梁用の親綱を柱鉄筋に取付けているので、安全設備がまだ無い状態で親綱を付けるという危険な作業となっている。また、小梁の親綱は、大梁用に張った親綱に更に取り付けられたりしており、強度やたるみ等の点で不安定であって法にも反することになる。建築現場において、作業者の安全を図る親綱を強度的に問題なく安全対策上確実に架設できるようにすることが課題である。本発明に係る安全支柱用の型枠取付け金具は、このような課題を解決するために提案されたものである。
【課題を解決するための手段】
【０００５】
本発明に係る安全支柱用の型枠取付け金具の上記課題を解決して目的を達成するための要旨は、コンクリート用型枠に支柱を着脱自在に取付け位置固定するための金具であって、前記型枠の横端太材に対して上下方向から挟み込んで固定される下部固定部と、該下部固定部に取着される筒状体で前記支柱の下部と嵌合して該支柱を支持する下部支持部材と、前記型枠のパネル天端にある桟木に着脱自在に取付けられるとともに前記支柱を支持する上部押え金物とでなることである。
【０００６】
前記下部固定部には、横端太材の上下方向の寸法に合わせて、前記下部固定部を構成する上あご部と下あご部とのうちいずれか一方が、当該下部固定部の基部に対して上下方向に移動自在にする移動手段が設けられていることである。
【０００７】
前記移動手段は、下あご部を摺動移動させるものであり、ネジボルトにより下部固定部の基部に設けたネジ孔に螺進させてボルト頭部によって前記下あご部に係合してこれを上摺動移動させることである。
【０００８】
前記下部固定部には、上あご部と下あご部とのうち少なくとも一方に、あご部のＵ字部に拡張力に抵抗する補強部材が固着されていることである。
【０００９】
前記下部固定部における下部支持部材には、支柱のロック部を係合させる係合溝が設けられていることである。
【００１０】
前記下部固定部における下部支持部材は、前記下部固定部に対して、固定手段で固着され、若しくは、その筒体下部において揺動自在に取付けされて、取着されていることである。
【００１１】
また、一端部を当該上部押え金物若しくは支柱に連結し、他端部を横端太材に支持させる補強用斜材が設けられることである。
また、支柱に親綱を係止する場合、該支柱の上部に、単クランプに掛金が固着されてなるフック用金物が着脱自在に取着されることを含むものである。
【発明の効果】
【００１２】
本発明の安全支柱用の型枠取付け金具によれば、ＲＣ造建築物の建築現場において、コンクリート用型枠を形成後の配筋作業やスラブ構築作業などにおいて、親綱用の支柱と親綱を梁型枠の地組時に先行して取付けることができて、従来のように柱鉄筋に親綱を掛止して柱筋を曲げてしまうようなことが無くなり、安全設備が無い状態での高所作業も解消される。また、工区境の手摺柱や、各種開口部の安全柵用の手摺柱取付け金具としても容易に使用することができる、と言う優れた効果を奏するものである。
【００１３】
下部固定部における下部支持部材を揺動自在にすることで、支柱下端部の現場での曲がり等があっても、嵌合位置のズレを柔軟に対応して容易に組立することができる。さらに、斜材を設けることで、大きな落下衝撃に耐えることができる。また、支柱にフック用金物を取り付けることで、親綱等を容易に掛止させることができる。
【図面の簡単な説明】
【００１４】
【図１】本発明に係る安全支柱用の型枠取付け金具１の使用状態を示す説明用斜視図である。
【図２】同本発明の安全支柱用の型枠取付け金具１における下部支持部材６の使用状態を示す一部拡大斜視図である。
【図３−Ａ】同本発明に係る上部押え金物７の使用状態における正面側からの斜視図である。
【図３−Ｂ】同本発明に係る上部押え金物７の使用状態における背面側からの斜視図である。
【図４】同本発明に係る下部支持部材６の斜視図である。
【図５−Ａ】同本発明に係る下部支持部材６における下あご部５ｂが下位置にあり、上移動する前の状態を示す背面図（Ａ）、側面図（Ｂ）である。
【図５−Ｂ】同本発明に係る下部支持部材６における下あご部５ｂがボルト９の螺入によって上移動した後、横端太材３に固定された状態を示す背面図である。
【図６】本発明の第２実施例に係る下部支持部材６ａの斜視図である。
【図７】同本発明の第２実施例に係る下部支持部材６ａの背面図である。
【図８】本発明の第３実施例に係る型枠取付け金具１ａの使用状態を示す斜視図（Ａ）と、補強用斜材１２の平面図（Ｂ）とである。
【図９】同本発明の第４実施例に係る上部押え金物７ａの上から見た斜視図（Ａ）と縦断面図（Ｂ）とである。
【図１０】本発明の第５実施例に係る下部固定部１４の使用状態を示す一部拡大斜視図（Ａ）と、座金１６の斜視図（Ｂ）とである。
【図１１】本発明の第６実施例に係る型枠取付け金具１ｃの斜視図（Ａ）と、背面図（Ｂ）と,他の実施例の断面図（Ｃ）とである。
【発明を実施するための形態】
【００１５】
本発明に係る安全支柱用の型枠取付け金具１は、図１に示すように、コンクリート打設用の型枠２とその型枠の横端太材３を利用して支柱４を支持するようにしたものである。
【実施例１】
【００１６】
前記型枠取付け金具１は、図１に示すように、コンクリート用型枠２に円筒状の金属製支柱４を着脱自在に取付け位置固定するための金具である。かかる取付け対象の支柱４は、例えば、建築現場における親綱４ａ用の支柱であったり、安全柵支持するための支柱である。図中の符号４ｂは、作業員の安全帯を示している。
【００１７】
前記型枠取付け金具１の構成は、図２に示すように、前記型枠２の横端太材３に対して上下方向から挟み込んで固定される下部固定部５と、該下部固定部５に取着される筒状体で前記支柱４の下部と嵌合して、該支柱４を支持する下部支持部材６と、図３−Ａ、図３−Ｂに示すように、前記型枠２のパネル天端２ａにある桟木２ｂに着脱自在に取付けられる上部押え金物７とでなる。
【００１８】
以下、前記各部材の詳細について図面を参照して説明する。図２と、図４乃至図５−Ａ、図５−Ｂに示すように、前記下部固定部５は、横端太材３に装着されて固定されるものであって、当該下部固定部５には、横端太材３の外形状（第１実施例では丸形）および上下方向の寸法に合わせて、円形パイプ係止用の湾曲部を有した、上あご部５ａと下あご部５ｂとで構成される。
【００１９】
前記上あご部５ａと下あご部５ｂとのうちいずれか一方が、当該下部固定部５の基部５ｃに対して上下方向に移動自在にする移動手段が設けられている。この第１実施例では、前記下あご部５ｂが上下に移動するようになっている。
【００２０】
前記移動手段は、例えば、図５−Ａ、図５−Ｂに図示するネジ式移動手段である。この移動手段は、下あご部５ｂを上摺動移動させるものであり、ネジ付きのボルト９により下部固定部５の基部５ｃに設けたネジ孔５ｄ（図４参照）に螺入させて行うものである。
【００２１】
すなわち、前記下あご部５ｂに一体に設けられた筒部５ｆの貫通孔５ｅに前記ボルト９が貫通されている。前記ボルト９の頭部９ａが、前記筒部５ｆの一端面に当接するようになっている。前記ボルト９が基部５ｃに螺入することで、前記頭部９ａで押し上げられる筒部５ｆを介して、下あご部５ｂが上に押し上げられる。こうして、下あご部５ｂは、ボルト９を工具などで所定方向に回転させてネジ孔５ｄに螺入させ前記筒部５ｆを介して上下方向に摺動移動されるものである。なお、前記ボルト９の先端部は、前記基部５ｃのネジ孔５ｄを貫いて、下部支持部材６の筒部の内側空間部に突出するものである。
【００２２】
前記下あご部５ｂには、図５−Ａ（Ａ）に示すように、上下方向に平坦な平坦部５ｋに上下方向に移動用の長孔５ｍが設けられている。前記長孔５ｍに貫通させて係止ボルト５ｎが、前記上あご部５ａの後壁５ｉに溶着もしくは圧入などの固定手段で固着して立設されている。
【００２３】
前記係止ボルト５ｎによって、この型枠取付け金具１を組み立てた後に、上下方向に向けて使用する場合などにおいて、上あご部５ａから下あご部５ｂが抜け落ちないようにされるものである。
【００２４】
前記上あご部５ａは、使用状態で水平な長方形状の板体である前記基部５ｃと一体にされるとともに、補強用の補強部材５ｇが側壁として一体に固着して設けられている。この補強部材５ｇは、図４に示すように、矩形状の板で、片側の長辺側部の一部を斜めにカットした金属製板である。
【００２５】
この補強部材５ｇには、図５−Ａ（Ａ），（Ｂ）に示すように、上下方向に沿ってガイド板５ｈが一体にして設けられる。上あご部５ａの後壁５ｉの背面とガイド板５ｈとの間に、移動用のガイド空間が形成され、下あご部５ｂの左右の縁部が遊嵌状態で挟まれて、この下あご部５ｂが上下方向に移動する際の案内となる。
【００２６】
下部固定部５には、上あご部５ａと下あご部５ｂとのうち少なくとも一方に、あご部のＵ字部に拡張力に抵抗する補強部材が、例えば、この第１実施例では、図４に示すように、補強部材５ｊが溶接手段などにより固着されている。
【００２７】
前記下部支持部材６には、支柱４外周面から突出する支柱４の係止ピン（図示せず）を係合させる係合溝６ｂが筒体の上部に設けられている。なお、場合によっては、前記支柱側に係止ピンが設けられていない場合もあり、前記係合溝６ｂを使用しないこともある。
【００２８】
前記上部押え金物７は、図１および図４に示すように、型枠２のパネル天端にある棧木２ｂに外側から係止させるものであり、金属製の掛着板体７ｂと該掛着板体７ｂの一端側に溶接手段などで固着されたクランプ８とで構成されている。
【００２９】
前記掛着板体７ｂには、その他端部が棧木２ｂの角部に引っかけるように屈曲された係止部７ｃと、平坦部に３カ所に設けた釘１３打ち用の孔７ｄとが設けられている。
【００３０】
このようにして、図１に示すように、前記上部押え金物７と、前記下部固定部材５及び下部支持部材６との２カ所で、支柱４を型枠２に取り付けて上下方向に立設させるものである。
【００３１】
前記支柱４は、親綱用もしくは安全柵用等に使用されるものである。図１に示すように、型枠取付け金具１に取り付けた支柱４に、作業の安全のために親綱４ａを係止する場合、該支柱４の上部に、クランプ８に掛金１１ａが固着されてなるフック用金物１１が着脱自在に取着される。このようにして、型枠取付け金具１により、親綱４ａに安全帯４ｂを掛けたり、若しくは、落下防止用の安全柵の設置したりすることで、作業者の安全を図ることができるようになるものである。
【実施例２】
【００３２】
本発明の第２実施例に係る型枠取付け金具１ａは、図６乃至図７に示すように、下部固定部５に、揺動自在な下部支持部材６ａを設けてなるものである。この下部支持部材６ａは、上あご部５ａの基部５ｃに上コ字型の軸受け部６ｃが固着され、該軸受け部６ｃに軸部材６ｄが水平に架設され、該軸部材６ｄによって、前記下部支持部材６ａの下部が貫かれ支持されている。尚、ボルト９の先端部は、筒状の下部支持部材６ａの底部から内部に入り込むが、前記軸部材６ｄには至らないように設定されている。
【００３３】
前記下部支持部材６ａが、前記軸部材６ｄに揺動支持されるので、型枠取付け金具を型枠２に装着して支柱４を下部支持部材６ａに取り付ける際に、当該支柱４の曲がりや組付け上での位置ずれによって、支柱４下部の位置が多少ずれても、前記下部支持部材６ａの上部が左右に揺動して位置合わせされ柔軟に対応する。よって、下部支持部材６ａに支柱４を容易に差し込んで装着できるものである。
【実施例３】
【００３４】
本発明に係る第３実施例は、図８（Ａ），（Ｂ）に示すように、一端部を上部押え金物７若しくは支柱４に連結し、他端部を横端太材３に支持させる補強用斜材１２が設けられる実施例である。この補強用斜材１２は、支柱４に対しては、回転自在な連結部１２ａを介して斜めに連結されている。また、当該斜材１２の下部は、下部固定部５に連結部１２ａを介して揺動自在に連結されている。
【００３５】
この第３実施例によれば、前記補強用斜材１２によって、支柱４の支持力が補強され、作業者が万が一転落などした場合でも、型枠取付け金具１への衝撃荷重による負荷を軽減できるものである。
【実施例４】
【００３６】
本発明に係る第４実施例は、図９（Ａ），（Ｂ）に示すように、上部押え金物７ａである。この上部押え金物７ａは、クランプ８にＬ字型の係止爪７ｅを２本溶接などして固着したものである。この係止爪７ｃによって型枠２の棧木２ｂに掴むようにして係止するものである。このような実施例によっても、型枠取付け金具１を構成できるものである。
【実施例５】
【００３７】
本発明に係る第５実施例は、図１０に示すように、型枠２の横端太材が、角パイプによる角端太材１５の場合における、下部固定部１４の構造に係るものである。この下部固定部１４は、上下２本の角端太材１５に跨がるコ字型の金属製の固定部本体１４ａに、座金１６が設けられ、該座金１６は、フォームタイ(登録商標)のコーン１７に連結された連結棒１８及び締付けナット１９により、前記固定部本体１４ａを型枠２側に押圧するものである。
【００３８】
前記固定部本体１４ａには、図１０（Ａ）に示すように、４カ所の角部に補強用の補強リブ１４ｂが設けられ、上下の中央部には座金１６係止用の切欠き１４ｃが設けられている。また、この固定部本体１４ａの上平坦部に下部支持部材６が立設して溶接手段で固着されている。
【００３９】
前記下部固定部１４は、型枠２組立において間隔維持のフォームタイ(登録商標)のコーン１７に連結された連結棒１８及び締付けナット１９で、しっかりと固定されるので安全性が高い。
【００４０】
このように、横端太材が角端太材１５である場合には、丸パイプと違って前後方向に容易に下部固定部１４を装着させることができるので、固定部本体１４ａも簡易な構造に形成することができるものである。
【実施例６】
【００４１】
本発明に係る第６実施例は、図１１（Ａ），（Ｂ）に示すように、型枠取付け金具１ｃにおいて、下あご部５ｂの上方向への締め込みを、楔２０により行うようにした実施例である。即ち、上あご部５ａの補強部材５ｇ，５ｇと、下あご部５ｂの補強部材５ｊとにおいて横方向（水平方向）に貫通させる、上下方向に細長い孔５ｑ，５ｐを設け、前記孔５ｑ，５ｐに挿通させる楔２０を用意する。
【００４２】
図１１（Ａ），（Ｂ）に示すように、前記楔２０を図において左から右に、前記補強部材５ｇの孔５ｑに挿通させ、補強部材５ｊの孔５ｐそして補強部材５ｇの孔５ｑへと挿通させる。これにより、前記楔２０のテーパ部２０ｂが貫通され前進することで前記孔５ｐが上方向に押し上げられて、補強部材５ｊ及び下あご部５ｂが上方向に移動するものである。
【００４３】
前記下あご部５ｂが下側の横端太材３に取付けられ、前記テーパ部２０ｂによりきつく締め付けられ、その状態で、抜止め用孔２０ａに抜止め部材２１が差し込まれる。なお、この抜止め用孔２０ａと抜止め部材２１との関係も、図１１（Ｃ）に示すように、孔と楔形の抜止め部材２１とによる抜止め構造にすることもできる。この楔締結による上下移動構造によれば、簡易な構成で容易に作成することができるし、締付け作業も迅速に行うことができる。
【産業上の利用可能性】
【００４４】
本発明に係る型枠取付け金具１は、コンクリート用型枠に取付けて、各種の利用に供される支柱や安全柵等を支持させることができる。
【符号の説明】
【００４５】
１          型枠取付け金具、 
１ａ        第３実施例に係る型枠取付け金具、
１ｃ        第６実施例に係る型枠取付け金具、  
２          型枠、                ２ａ      パネル天端、
２ｂ        桟木、
３          横端太材、
４          支柱、                ４ａ      親綱、
４ｂ        安全帯、
５          下部固定部、          ５ａ      上あご部、
５ｂ        下あご部、            ５ｃ      基部、
５ｄ        ネジ孔、              ５ｅ      貫通孔、
５ｆ        筒部、                ５ｇ      補強部材、
５ｈ        ガイド板、            ５ｉ      後壁、
５ｊ        補強部材、            ５ｋ      平坦部、
５ｍ        長孔、                ５ｎ      係止ボルト、
５ｐ        孔、                  ５ｑ      孔、
６          下部支持部材、        ６ａ      第２実施例に係る下部支持部材、
６ｂ        係合溝、              ６ｃ      軸受け部、
６ｄ        軸部材、
７          上部押え金物、        ７ａ      第４実施例に係る上部押え金物、
７ｂ        掛着板体、            ７ｃ      係止部、
７ｄ        孔、  
８          クランプ、
９          ボルト、              ９ａ      頭部、
１１        フック用金物、        １１ａ    掛金、
１２        補強用斜材、
１３        釘、
１４        第５実施例の下部固定部、
１４ａ      固定部本体、          １４ｂ      補強リブ、
１４ｃ      切欠き、  
１５        角端太材、
１６        座金、  
１７        コーン、    
１８        連結棒、
１９        締付けナット、
２０        楔、                  ２０ａ      抜止め用孔、
２０ｂ      テーパ部、
２１        抜止め部材。
【図１】
2014043678.tif 000003
【図２】
2014043678.tif 000004
【図３−Ａ】
2014043678.tif 000005
【図３−Ｂ】
2014043678.tif 000006
【図４】
2014043678.tif 000007
【図５−Ａ】
2014043678.tif 000008
【図５−Ｂ】
2014043678.tif 000009
【図６】
2014043678.tif 000010
【図７】
2014043678.tif 000011
【図８】
2014043678.tif 000012
【図９】
2014043678.tif 000013
【図１０】
2014043678.tif 000014
【図１１】
2014043678.tif 000015